(57)【要約】      （修正有）【課題】限られたスペースを有効に利用でき、外枠の設置後も収納スペースと作業スペースとを変更可能にするキャビネットを提供する。【解決手段】キャビネット１は、引出部２を手前・奥移動させるガイドレール３を有しており、前記引出部２は、収納部２０と底板２１とを有しており、前記底板２１は、収納面２２と裏面とを有しており、前記引出部２を、ガイドレール３から取外し上下逆に挿入することにより、前記裏面は、スライド式載置面として利用される。【選択図】図１
2013158518.tif 000002
【特許請求の範囲】
【請求項１】
キャビネット（１）は、
引出部（２）を手前・奥移動させるガイドレール（３）を有しており、
前記引出部（２）は、
収納部（２０）と底板（２１）とを有しており、
前記底板（２１）は、
収納面（２２）と裏面（４）とを有しており、
前記引出部（２）を、
ガイドレール（３）から取外し上下逆に挿入することにより、
前記裏面（４）は、
スライド式載置面（４）として利用される
ことを特徴とするキャビネット。
【請求項２】
前記ガイドレール（３）は、
前記収納部（２０）の左右側面（２２Ｒ、２２Ｌ）位置に配置されており、
前記ガイドレール（３）には、
前記収納部（２０）の左右側面（２２Ｒ、２２Ｌ）に係合するストッパ（５）が
設けられており、
前記ストッパ（５）の係合解除操作により、
引出部（３）の取外しを可能とする
ことを特徴とする請求項１記載のキャビネット。
【請求項３】
前記ストッパ（５Ｒ、５Ｌ）の係合解除は、
一方のガイドレール（３Ｒまたは３Ｌ）においては上方向になされ、
他方のガイドレール（３Ｌまたは３Ｒ）においては下方向になされる
ことを特徴とする請求項２記載のキャビネット。
【請求項４】
前記ガイドレール（３）は、
手前ガイドレール（３０）と中ガイドレール（３１）と
奥ガイドレール（３２）の３段ガイドレール（３）であり、
前記手前ガイドレール（３０）は、
前記引出部（２）と共に手前・奥へ移動し、
前記ストッパ（５）を有する
ことを特徴とする請求項３記載のキャビネット。
【請求項５】
前記ガイドレール（３）は、
前記収納部（２０）の左右側面位置（２２Ｒ、２２Ｌ）それぞれに
１本ずつ設けられており、
前記引出部（２）高さ（Ｈ２）の均等二分線（Ｃ）と、
前記ガイドレール（３）高さ（Ｈ３）の均等二分線（Ｃ）が、
一致することを特徴とする請求項４記載のキャビネット。
【請求項６】
前記収納部（２）の幅（Ｗ２）を、
前記スライド式載置面（４）の幅（Ｗ４）よりも狭くした
ことを特徴とする請求項５記載のキャビネット。
【発明の詳細な説明】
【技術分野】
【０００１】
本発明は、家具として設置される棚や引き出しを総称するキャビネットに関する。
【背景技術】
【０００２】
従来、キャビネットは、効率よく収納する棚や引き出しとして用いられてきた。（例えば特許文献１）。
しかしながら、狭い居住空間であると収納目的のみでの大型のキャビネットは、設置することが困難なものであった。例えば、設置スペースが限られた台所であると、キッチン用具の収納場所のみではなく、作業（例えば料理）を行なうスペースも必要であった。
また、大型の台所キャビネットにおいては、一度外枠を設置してしまうと、その後、作業スペースに変更することは困難であった。
【先行技術文献】
【特許文献】
【０００３】
【特許文献１】特開２００１ー２７５７６８号公報
【発明の概要】
【発明が解決しようとする課題】
【０００４】
そこでこの発明は、限られたスペースを有効に利用でき、外枠の設置後も収納スペースと作業スペースとを変更可能にするキャビネットを提供することを目的とする。
【課題を解決するための手段】
【０００５】
上記目的を達成するために本件発明は以下の手段を用いた。
（請求項１記載の発明）
請求項１記載のキャビネットは、引出部を手前・奥移動させるガイドレールを有しており、前記引出部は、収納部と底板とを有しており、前記底板は、収納面と裏面とを有しており、前記引出部を、ガイドレールから取外し上下逆に挿入することにより、前記裏面は、スライド式載置面として利用されることを特徴とする。
（請求項２記載の発明）
請求項２記載の発明は、請求項１記載のキャビネットにおいて、前記ガイドレールが、前記収納部の左右側面位置に配置されており、前記ガイドレールには、前記収納部の左右側面に係合するストッパが設けられており
前記ストッパの係合解除操作により、引出部の取外しを可能とすることを特徴とする。
【０００６】
（請求項３記載の発明）
請求項３記載の発明は、請求項２記載のキャビネットにおいて、前記ストッパの係合解除が、一方のガイドレールにおいては上方向になされ、他方のガイドレールにおいては下方向になされることを特徴とする。
（請求項４記載の発明）
請求項４記載の発明は、請求項３記載のキャビネットにおいて、前記ガイドレールが、手前ガイドレールと中ガイドレールと奥ガイドレールの３段ガイドレールであり、前記手前ガイドレールが、前記引出部と共に手前・奥へ移動し、前記ストッパを有することを特徴とする。
【０００７】
（請求項５記載の発明）
請求項５記載の発明は、請求項４記載の発明において、前記ガイドレールが、前記収納部の左右側面位置それぞれに１本ずつ設けられており、前記引出部高さの均等二分線と、前記ガイドレール高さの均等二分線とが、一致することを特徴とする。
（請求項６記載の発明）
請求項６記載の発明は、請求項５記載の発明において、前記収納部の幅を、前記スライド式載置面の幅よりも狭くしたことを特徴とする。
【発明の効果】
【０００８】
（請求項１記載の発明の効果）
請求項１記載のキャビネットとすると、引出部をひっくり返して挿入することにより、収納部を載置面に変更し、作業スペースとすることができる。この変更は、キャビネット設置前でも良いし、キャビネット設置後であっても良い。また、ガイドレールが設置されているので、作業スペースとしての十分な強度を確保できる。
（請求項２記載の発明の効果）
請求項２記載のキャビネットとすると、不意に引出部が抜け落ちるのを防止することができる。
【０００９】
（請求項３記載の発明の効果）
請求項３記載のキャビネットとすると、両側面のストッパは、ひっくり返しても同じ位置に来る態様となる。したがって、収納部利用時と載置面利用時の為に左右２つずつを設置する必要がなく、左右１つずつのストッパにすることができる。
（請求項４記載の発明の効果）
請求項４記載のキャビネットとすると、３段ガイドレールの手前側にストッパが来る為、取り外し操作が簡単なものとなる。
【００１０】
（請求項５記載の発明の効果）
請求項５記載のキャビネットとすると、左右側面に設けるガイドレールは、一本ずつで良いものとなる。
（請求項６記載の発明の効果）
請求項６記載のキャビネットとすると、載置面利用時に収納部が見えにくくなり、美観が向上する。
【図面の簡単な説明】
【００１１】
【図１】図１は、収納部使用時におけるキャビネット本体の全体斜視図である。
【図２】図２は、スライド式載置面使用時におけるキャビネット本体の全体斜視図である。
【図３】図３は、スライド式載置面使用時におけるキャビネット本体の全体正面の部分断面図である。
【図４】図４は、図３の部分断面の拡大図である。
【図５】図５は、スライド式載置面使用時におけるキャビネット本体の右側面図である。
【図６】図６は、スライド式載置面収納時におけるキャビネット本体の右側面図である。
【図７】図７（ａ）は、スライド式載置面使用時におけるガイドレール右側面の部分断面図である。図７（ｂ）は、スライド式載置面使用時におけるガイドレール左側面の部分断面図である。
【図８】図８（ａ）は、収納部使用時におけるガイドレール右側面の部分断面図である。図８（ｂ）は、収納部使用時におけるガイドレール左側面の部分断面図である。
【発明を実施するための形態】
【００１２】
以下にこの発明のキャビネットを実施例として示す各図と共に説明する。
【実施例１】
【００１３】
〔１．キャビネット１の全体的な構造について〕
図１は、収納部２０使用時におけるキャビネット１本体の全体斜視図である。図２は、スライド式載置面４使用時におけるキャビネット本体の全体斜視図である。
この発明のキャビネット１は、家具として用いられることを想定しており、幅を４００〜９００ｍｍ、奥行きを４００〜６００ｍｍ、高さを７５０〜１０５０ｍｍ、とするのが好ましい。さらに台所用キャビネットとすると、キッチン用具収納と調理スペースとを自在に変更可能なキャビネットとなり、特に好ましい使用態様となる。
【００１４】
キャビネット１は、図１および図２に示すように外枠１０に引出部２と複数の下段引出部１１とを、前後にスライドさせる態様で取り付けられている。必要に応じて、下段引出部１１を削除し、下方空間とすることもできる。
【００１５】
〔２．引出部２の全体的な構造について〕
引出部２は、図１に示すように、物品を収納する収納部２０を有する。この収納部２０は、直方体形状であり底面となる底板２１と側面部材から形成される。
引出部２は、ガイドレール３を用いて、前後スライド可能な態様で外枠１０と接続されている。ガイドレール３は、前記外枠１０の内側面、前記側面部材の側面位置２２を接続するものであり、接続後は取手２３を利用して、使用者は引出部２を前後にスライドさせることができる。そして、この接続は取り外しが可能なものである。取り外しにはストッパ５を設けるのが好ましい。
【００１６】
引出部２は、手前いっぱいにスライドさせ取り外された後、挿入方向を同一としつつ上下を逆さにして、図２に示すように、取り付けることができる。
この時、底板２１の裏面は、スライド式載置面４として使用することができる。
【００１７】
〔３．底板２１について〕
図３は、スライド式載置面４使用時におけるキャビネット１本体の全体正面の部分断面図である。
スライド式載置面４となる底板２１の裏面には、美観を有する天面材を用いるのが好ましい。従来、底板２１の裏面は見えない箇所であった為、美観を有する天面材は利用されなかった。
天面材として、メラミン化粧板、ニス塗装板、ステンレス板、ソリッド樹脂板、ポリエステル化粧合板などを例示することができる。
【００１８】
そして、図３に示すように、スライド式載置面４の幅Ｗ４は、収納部２０の幅Ｗ２よりも狭いものとするのが好ましい。
具体的には、幅Ｗ４を３５０〜８５０ｍｍとし、幅Ｗ２を３３５〜８３５ｍｍとし、左右の側面位置２２Ｌ、２２Ｒから７〜８ｍｍスライド式載置面４がはみ出す態様とする。このように設定すると、左ガイドレール３Ｌと右ガイドレール３Ｒとがスライド式載置面４使用時に上方から見えにくくなり、美観が向上し、好ましい。
【００１９】
〔４．ガイドレール３について〕
図４は、図３の部分断面の拡大図である。図５は、スライド式載置面４使用時におけるキャビネット１本体の右側面図である。図６は、スライド式載置面４収納時におけるキャビネット１本体の右側面図である。
ガイドレール３は、少なくとも左右二対であり、スライド式載置面４使用時の位置関係において、左側ガイドレール３Ｌ、右側ガイドレール３Ｒとして記載する。この〔４.ガイドレール３について〕では、右側Ｒ符号群を用いて説明するが、左側Ｌ符号群も同様の構成である。
右側ガイドレール３Ｒは、図４に示すように、収納部２０の右側側面位置２２Ｒと取り付けられている。右側ガイドレール３Ｒは、上下に２本など複数本設けることもできるが、伸縮式の一本構成とするのが好ましい。
【００２０】
前述の一本構成を可能とする為に、引出部２の高さＨ２の均等二等分線Ｃと、右側ガイドレール３Ｒの高さＨ３の均等二等分線Ｃとを一致させた。これによって、一本構成であったとしても、引出部２は、収納部２０が上面の時とスライド式載置面４が上面の時との両方を前後スライドすることができるようになる。
【００２１】
前述の伸縮式ガイドレールを可能とする為、図４および図５に示すように、ガイドレール３Ｒは、手前ガイドレール３０Ｒと中ガイドレール３１Ｒと奥ガイドレール３２Ｒの三段式ガイドレールとした。
三段式ガイドレールの伸縮を円滑にする為、図４に示すように、手前ガイドレール３０Ｒと中ガイドレール３１Ｒの接続部と、中ガイドレール３１Ｒと奥ガイドレール３２Ｒの接続部には、ベアリング６を設けるのが好ましい。
伸縮が円滑となると、引出部２は、図５に示す使用と図６に示す収納とを円滑に移動できるようになり、取手２３に加える力を小さくすることができる。
【００２２】
手前ガイドレール３０Ｒが奥ガイドレール３２Ｒよりも細い場合、ガイドレール３Ｒの取り付けは、図５に示すように、手前ガイドレール３０Ｒを引出部２に取り付け、奥ガイドレール３２Ｒを外枠１０に取り付けるのが好ましい。釣竿と同様に荷重の大きい側を太くする態様である。
【００２３】
〔５．ストッパ５について〕
前述の通り、外枠１０内面と側面位置２２とは、ガイドレール３で接続されていると共に、引出部２は取り外しが可能なものである。この取り外しを規制し、任意の時のみ外れるようにする部品として、ストッパ５を設けることができる。
【００２４】
前述の取り外しは、側面位置２２と手前ガイドレール３０の間でなされても良いし、手前ガイドレール３０と中ガイドレール３１の間でなされても良いし、中ガイドレール３１と奥ガイドレール３２の間でなされても良いし、奥ガイドレール３２と外枠１０内側面でなされても良い。
使用者が、取り外し操作を行い易いのは、側面位置２２と手前ガイドレール３０の間でなされる態様、または手前ガイドレール３０と中ガイドレール３１の間でなされる態様であり、これらの態様を用いるのが好ましい。
この実施例においては、図５に示すように、手前ガイドレール３０と中ガイドレール３１の間で取り外し可能な態様のストッパ５とした。
【００２５】
図７（ａ）は、スライド式載置面４使用時におけるガイドレール右側面の部分断面図である。図７（ｂ）は、スライド式載置面４使用時におけるガイドレール左側面の部分断面図である。図８（ａ）は、収納部２０使用時におけるガイドレール右側面の部分断面図である。図８（ｂ）は、収納部２０使用時におけるガイドレール左側面の部分断面図である。
手前ガイドレール３０Ｒ、３０Ｌに取り付けられたストッパ５Ｒ、５Ｌは、図７に示すように、中ガイドレール３１Ｒ、３１Ｌに取り付けられた突起５０Ｒ、５０Ｌと係合することによって、手前ガイドレール３０と中ガイドレール３１とが外れないようにしている。
【００２６】
図７（ａ）に示すように、ストッパ５Ｒは、上方に弾性付勢されることにより、上方に設けられた突起５０Ｒに係合する。すなわち、係合の解除は、操作部５１Ｒを下方向に移動させるものである。
図７（ｂ）に示すように、ストッパ５Ｌは、下方に弾性付勢されることにより、下方に設けられた突起５０Ｌに係合している。すなわち、係合の解除は、操作部５１Ｌを上方向に移動させるものである。
このＲ側下方向Ｌ側上方向の解除対応関係は、Ｒ側上方向Ｌ側下方向の解除対応関係とすることもできる。
また、Ｒ側Ｌ側にボタン等を設けて、使用者は内側に押すのみで前述の解除対応関係操作を行うことも可能である。
【００２７】
前述のように、係合解除の対応関係を点対称とすると、取外した後、上下逆に挿入した場合であっても、図８（ａ）（ｂ）に示すように、ストッパ５Ｌ、５Ｒと突起５０Ｒ、５０Ｌとは位置ズレすることなく係合することができる。
すなわち、図８（ａ）（ｂ）に示すように、ストッパ５Ｌは突起５０Ｒと係合し、ストッパ５Ｒは突起５０Ｌと係合する態様となる。
このように点対称にストッパ５と突起５０を配置すると、部品数が少なく好ましい。
【産業上の利用可能性】
【００２８】
この発明は、家具であるキャビネット１のみに留まらず、スライドし、取外して表裏面を利用する物品に利用することができる。
【符号の説明】
【００２９】
１    キャビネット
１０    外枠
１１    下段引出部
２    引出部
２０    収納部
２１    底板
２２    側面位置（２２Ｒ：右側面位置  ２２Ｌ：左側面位置）
２３    取手
３    ガイドレール
（３Ｒ：右ガイドレール  ３Ｌ：左ガイドレール）
３０    手前ガイドレール
（３０Ｒ：右手前ガイドレール  ３０Ｌ：左手前ガイドレール）
３１    中ガイドレール
（３１Ｒ：右中ガイドレール  ３１Ｌ：左中ガイドレール）
３２    奥ガイドレール
（３２Ｒ：右奥ガイドレール  ３２Ｌ：左奥ガイドレール）
４    スライド式載奥面（裏面）
５    ストッパ（５Ｒ：右ストッパ  ５Ｌ：左ストッパ）
５０    突起（５０Ｒ：右突起  ５０Ｌ：左突起）
５１    操作部（５１Ｒ：右操作部  ５１Ｌ：左操作部）
６    ベアリング
Ｃ    均等二分線
Ｈ２    引出部高さ
Ｈ３    ガイドレール高さ
【図１】
2013158518.tif 000003
【図２】
2013158518.tif 000004
【図３】
2013158518.tif 000005
【図４】
2013158518.tif 000006
【図５】
2013158518.tif 000007
【図６】
2013158518.tif 000008
【図７】
2013158518.tif 000009
【図８】
2013158518.tif 000010